(57)【特許請求の範囲】
【請求項１】
剥離紙上に粘着剤を介して基材を貼り付けることによりラベルが構成され、
該ラベルに、分離可能なシール部が設けられ、
該シール部が、ラベルを構成する剥離紙及び基材にそれぞれ形成されたループ状の切り抜きライン内に設けられ、
上記各切り抜きラインのうち、剥離紙に形成された切り抜きラインが、基材に形成された切り抜きラインよりも内側に位置し、
更に、前記基材の上にラベル表面を覆う透明フィルムが設けられ、
該透明フィルムが、前記シール部の位置に、シール部の外周より大きいループ状の切り取りラインを有すると共に、
前記透明フィルムが、切り取りライン外におけるシール部の周りの基材に対して接着されていることを特徴とするシール付きラベル。
【請求項２】
請求項１記載のシール付きラベルにおいて、前記剥離紙の前記シール部の反対側の面に印刷がなされていることを特徴とするシール付きラベル。
【請求項３】
請求項１または請求項２に記載のシール付きラベルにおいて、前記シール部に、分離可能な小シール部が設けられ、
該小シール部が、シール部を構成する基材に形成されたループ状の切り抜きライン内で、剥離紙に形成された切り抜きライン内に設けられたことを特徴とするシール付きラベル。
【請求項４】
請求項１ないし請求項３のいずれかに記載のシール付きラベルにおいて、前記基材に設けられた粘着剤は、温水・アルカリ温水の少なくともいずれかにより溶解可能で、手で容易に容器から剥がせる粘着剤であることを特徴とするシール付きラベル。
【請求項５】
請求項１ないし請求項４のいずれかに記載のシール付きラベルを貼り付けた包装容器であって、被着体に、前記シール部分の剥離紙を残した状態で、前記ラベルの前記シール部の周りの部分を貼り付けたことを特徴とする包装容器。
【発明の詳細な説明】
【０００１】
【発明の属する技術分野】
本発明は、シール付きラベルに関し、更に詳しくは、被着体に貼り付けられた状態でも、被着体から取り出し可能なシールを有するシール付きラベルに関する。
【０００２】
【従来の技術】
従来、シール類は剥離紙上にシールとなる部分とこのシールの枠状周縁部とが貼り合わせられており、剥離紙及び枠状周縁部から所望のシールを剥がして所望の部位に貼り付けるようになっている。
【０００３】
【発明が解決しようとする課題】
しかし、清涼飲料水やＰＥＴボトル或いは箱詰めパック類には、ラベルが貼り付けられているものがあるが、これらのラベルは容器類にしっかりと接着されるために、容器から容易に剥がして所望の部位に貼って遊ぶようなシールを設けることは困難であった。
【０００４】
また、容器類では、冷蔵庫等にて保冷すると、ラベル表面に水滴が結露してしまうために、シール類を仮に設けても、シールが膨潤したり、汚れてしまう等の問題があった。
【０００５】
更に、近時のゴミの分別収集からすると、プラスチックボトルやガラス瓶からラベルを剥がすことが望まれているが、粘着材が温水・アルカリ温水に対して容易に溶けず、また簡単に手で剥がせないものであると、ゴミ（特にＰＥＴボトル）の分別処理が困難になると共に、幼児等がテーブル・机・イス等の家具類や冷蔵庫・洗濯機などの電気機器類に貼り付けると容易に取れなくなってしまう問題がある。
【０００６】
本発明は、このような問題に着目してなされたものであり、容器に貼り付けられるラベルにシールを設けることにより、更に、購入者に商品の面白さを主張でき、更に、このシールが水滴などの結露により汚れたりすることなく、また、容器や家具・電気機器等に貼り付けたシールやラベルを容易に剥がすことが可能なシール付きラベル及び包装容器を提供することを目的とする。
【０００７】
【課題を解決するための手段】
上記課題を解決するために、本発明の請求項１のシール付きラベルは、剥離紙上に粘着剤を介して基材を貼り付けることによりラベルが構成され、該ラベルに、分離可能なシール部が設けられ、該シール部が、ラベルを構成する剥離紙及び基材にそれぞれ形成されたループ状の切り抜きライン内に設けられ、上記各切り抜きラインのうち、剥離紙に形成された切り抜きラインが、基材に形成された切り抜きラインよりも内側に位置し、更に、前記基材の上にラベル表面を覆う透明フィルムが設けられ、該透明フィルムが、前記シール部の位置に、シール部の外周より大きいループ状の切り取りラインを有すると共に、前記透明フィルムが、切り取りライン外におけるシール部の周りの基材に対して接着されていることを特徴とする。
本発明の請求項２のシール付きラベルは、上記において、前記剥離紙の前記シール部の反対側の面に印刷がなされていることを特徴とする。
本発明の請求項３のシール付きラベルは、上記において、前記シール部に、分離可能な小シール部が設けられ、該小シール部が、シール部を構成する基材に形成されたループ状の切り抜きライン内で、剥離紙に形成された切り抜きライン内に設けられたことを特徴とする。
本発明の請求項４のシール付きラベルは、上記において、前記基材に設けられた粘着剤は、温水・アルカリ温水の少なくともいずれかにより溶解可能で、手で容易に容器から剥がせる粘着剤であることを特徴とする。
本発明の請求項５は、上記シール付きラベルを貼り付けた包装容器であって、被着体に、前記シール部分の剥離紙を残した状態で、前記ラベルの前記シール部の周りの部分を貼り付けたことを特徴とする。
【００１６】
【発明の実施の形態】
以下、本発明の実施形態にかかるシール付きラベルを図面を参照にして説明する。図１は実施の形態にかかるシール付きラベルの断面構成（図６のＩ−Ｉ線断面図）を示しており、１枚毎のラベル１を多数貼り合わせたラベルロールは、剥離紙からなるセパレータ２と、紙製の基材３と、透明フィルム４とで概略構成されている。なお、透明フィルム４が設けられることにより、ラベル１のシール部５の傷付きや汚損が防止されている。
【００１７】
セパレータ２と基材３との間には粘着剤６が介在しており、セパレータ２と基材３とを剥離可能に付着している。
【００１８】
粘着剤６は、温水・アルカリ温水により溶解可能で手で容易に容器から剥がせる粘着剤からなり、剥がす際に被着体側に糊残りが少なく簡単に剥がせるものが用いられている。被着体９としては、ＰＥＴボトル等のプラスチックボトルやガラス瓶或いは木製・金属製・磁器製・陶器製容器類が考えられ、この粘着剤６により、ゴミの分別処理などの場合に容易に剥がすことが出来る。また、シール部５をテーブル・イス・タンスなどの家庭用家具や、冷蔵庫やテレビなどの家庭用電気機器、或いは壁の被着体に貼り付けた場合でも、糊残りなく手で簡単に剥がせるので、これらの被着体を綺麗に保つことが出来る。
【００１９】
また、基材３と透明フィルム４との間には粘着剤７が介在しており、基材３と透明フィルム４とは固着されている。ラベル１は縁取りライン８によってボトル等の被着体９（図２参照）に貼り合わせられる形状に形成されている。
【００２０】
ラベル１の基材３には、図６、図７に示すように、縁取りライン８の内側に半打ちライン１０が形成されており、この半打ちライン１０によりシール部５が基材３から分離可能になっている。透明フィルム４にはこの半打ちライン１０の外側に位置するミシン目１１（切り取りライン）が形成されており、ミシン目１１に沿って囲まれた部分１２の透明フィルム４の一部を切り取り可能になっている。透明フィルム４のミシン目１１の外側の部分は、粘着剤７によってシール部５の周りの基材３に貼り合わせられている。
【００２１】
シール部５には、図７に示すように、小シール１３が半打ちライン１４により分離可能に形成されている。剥離紙２には、シール部５より一回り小さな輪郭の半打ちライン１５が形成されており、半打ちライン１５の内側部分の剥離紙１６をシール部５と一緒に取り出すことが出来るようになっている。また、シール部５を取り出したときに、内側部分の剥離紙１６上の小シール１３も同時に取り出せ、また、小シール１３を内側部分の剥離紙１６から剥離することも可能となっている。内側部分の剥離紙１６の被着体９側の面には、図８に示すように、懸賞文字１７（懸賞）が表示されている。
【００２２】
図２は、このシール付きラベル１を貼り付けた被着体９を示している。被着体９はこの実施の形態ではＰＥＴボトルや紙パックなどの容器である。被着体９の表面には、粘着剤６によりシール付きラベル１が固着されている。透明フィルム４のミシン目１１により、ミシン目１１に囲まれた部分１２を切り離すと、シール部５の剥離紙１６が半打ちライン１０より小さく形成されているので、図３、図７に示すように、シール部５を取り出すことが可能となる。
【００２３】
シール部５を取り出すと、剥離紙１６の裏面に懸賞文字１７が表示されているので、当たりはずれを楽しむことが出来る。また、図４に示すように、シール部５から小シール１３を剥がして、好みの例えばシールブック１８等に貼り付けることも可能である。
【００２４】
次に、このシール付きラベル１の製造方法について説明する。
【００２５】
図９はこのシール付きラベル１の製造工程を模式的に示すものであり、剥離紙２に基材３が貼り付けられたタック紙２０がロール２１から繰り出され、ガイドロールを経て印刷工程２２，２３を経る。印刷工程２２，２３では紫外線硬化型のＵＶインクが用いられているので、ＵＶランプ２４、２５により紫外線を照射する。印刷工程２２，２３は印刷色の種類により、３色或いは４色の場合、若しくはタック紙裏面への印刷（アタリ、ハズレ等の懸賞）もある。印刷工程２２，２３の後に、基材３の半打ち工程２６が入る。半打ち工程２６では基材３側に半打ちライン１０及び小シール１３の半打ちラインを入れる。
【００２６】
半打ち工程２６の後にＵＶ硬化型の粘着剤７の塗布工程２７と透明フィルム４の接着工程２８が入る。透明フィルム４とタック紙２０との貼り合わせ及びＵＶ照射後、ガイドロールを経てミシン目及び縁取りラインの打ち抜き工程２９を設け、透明フィルム４にミシン目１１及び縁取りライン８を入れる。ミシン目１１及び縁取りライン８の形成後、剥離紙２に半打ち工程３０が設けられており、剥離紙２に半打ちライン１５が形成される。剥離紙２の半打ち工程３０が終了した後、剥離紙２からラベル１を打ち抜いた基材３のカス上げ工程３１が行われ、ラベル１の載せられたラベルロール３２が巻き取られる。
【００２７】
【発明の効果】
本発明の請求項１のシール付きラベルによれば、シール部の剥離紙がシール部の輪郭より小さく形成され、シール部の周りの剥離紙から分離可能であるので、シール部をラベルから分離すると、シール部の剥離紙とラベルの剥離紙とを容易に分離できる。一方、ラベルの剥離紙を剥がしたときに、シール部はシール部の剥離紙より一回り大きいので、シール部の周りは粘着剤が露出する。
従って、シール部側に剥離紙を残した状態でラベルを被着体に貼り付けると、ラベルからシール部を簡単に分離することが出来ながら、分離する力を加えない限りシール部はラベルと共に被着体に貼り付けられた状態を維持できる。
また、透明フィルムがラベルおよびシール部を覆っているので、ラベルおよびシール部を汚損することが防止されると共に、不意な力がシール部に加わることによりシール部が剥がれてしまうことを防止できる。更に、切り取りラインに沿って透明フィルムを破れば容易にシール部を取り出すことが出来る。
本発明の請求項２のシール付きラベルによれば、シール部の剥離紙に印刷がなされているので、例えば、シール部を取り出したときに懸賞の当否を見る楽しみが得られる。
本発明の請求項３のシール付きラベルによれば、シール部から小シール部を剥がして楽しむことができる。
更に、本発明の請求項４のシール付きラベルによれば、基材に設けられた粘着剤が、温水・アルカリ温水の少なくともいずれかにより溶解可能な粘着剤であるので、ゴミの分別処理などの場合に容易にラベルを剥がすことが出来る。また、シール部をテーブル・イス・タンスなどの家庭用家具や、冷蔵庫やテレビなどの家庭用電気機器、或いは壁の被着体に貼り付けた場合でも、糊残りなく手で簡単に剥がせるので、これらの被着体を綺麗に保つことが出来る。
本発明の請求項５の包装容器によれば、ボトル、箱詰めパックその他の容器を被着体としてラベルを設けた際に、ラベルからシール部や小シールを取り出したり、懸賞を楽しむことが出来、商品の購入した際に得られる楽しみが一段と増え、購買意欲を高めることが出来る。
【図面の簡単な説明】
【図１】本発明の実施の形態にかかるシール付きラベルの概略的な断面構成図
【図２】図１のラベルを被着体に貼り付けた状態の模式的断面図
【図３】図２のラベルから透明フィルムを切り取りシールを取り出す状態の模式的断面図
【図４】シールから小シールを剥がして取る状態の模式的断面図
【図５】図４の小シールをシールブックなどに貼った状態の模式的断面図
【図６】図１のラベルの概略平面図
【図７】図６のシールの平面図
【図８】図６のシールの裏面図
【図９】図１のシールの製造工程を示す概略図
【符号の説明】
１  シール付きラベル
２  剥離紙
３  基材
４  透明フィルム
５  シール部
６  粘着剤
９  被着体
１０  切り抜きライン
１３  小シール
【図１】
0004864189.tif 000002
【図２】
0004864189.tif 000003
【図３】
0004864189.tif 000004
【図４】
0004864189.tif 000005
【図５】
0004864189.tif 000006
【図６】
0004864189.tif 000007
【図７】
0004864189.tif 000008
【図８】
0004864189.tif 000009
【図９】
0004864189.tif 000010